(57)【特許請求の範囲】
【請求項１】
信号パターン３００及び接地パターン５００を収容するためのパターン収容面１１０を有する対数周期アンテナであって、
芯線２３０を絶縁体２２０で覆いかぶせ、外周面にシールド線２１０で遮蔽した形態に構成され、前記パターン収容面１１０を横切るように固定され、前記パターン収容面１１０を横切る部分のシールド線２１０を露出するようにし、芯線２１０の端部を露出するようにした給電線２００と、
複数個の接地側ダイポール素子５２０を台形態の接地側伝送線路５１０に繋がるようにした形態に形成され、前記複数個の接地側ダイポール素子５２０が前記パターン収容面１１０に付着され、前記接地側伝送線路５１０が露出したシールド線２１０の上面に付着されて前記シールド線２１０と電気的に連結される接地パターン５００と、
前記接地側伝送線路５１０の上部に付着される台形態の絶縁体４００と、
複数個の信号側ダイポール素子３２０を台形態の信号側伝送線路３１０に繋がるようにした形態に形成され、前記複数個の信号側ダイポール素子３２０が前記パターン収容面１１０に付着され、前記信号側伝送線路３１０が前記芯線２３０の端部の露出部に電気的に連結された状態で前記絶縁体４００の上面に付着される信号パターン３００と、
を含んでなることを特徴とする、対数周期アンテナ。
【請求項２】
前記芯線２３０の端部は、
ハンダ付けにより前記信号側伝送線路３１０に連結されるものであることを特徴とする、請求項１に記載の対数周期アンテナ。
【請求項３】
前記給電線２００は、前記パターン収容面１１０に長凹溝１２０を造成して、前記長凹溝１２０に嵌められるものであることを特徴とする、請求項２に記載の対数周期アンテナ。
【請求項４】
複数個の接地側ダイポール素子５２０を台形態の接地側伝送線路５１０に繋いでいる接地パターン５００と、複数個の信号側ダイポール素子３２０を台形態の信号側伝送線路３１０に繋いでいる信号パターン３００をパターン収容面１１０に付着してなされる対数周期アンテナ製造方法であって、
中心導体である芯線２３０と外側導体であるシールド線２１０を同心円に配置した給電線２００において、パターン収容面１１０を横切ることができる長さだけシールド線２１０を露出させ、芯線２３０は端部のみ露出するようにする給電線用意ステップ（Ｓ１０）と、
前記給電線２００を、パターン収容面１１０を横切るように固定する給電線固定ステップ（Ｓ２０）と、
前記接地側伝送線路５１０が前記露出したシールド線２１０の上面に付着されるように接地パターン５００をパターン収容面１１０に付着する接地パターン付着ステップ（Ｓ３０）と、
前記接地側伝送線路５１０の上面に絶縁体４００を付着する絶縁体付着ステップ（Ｓ４０）と、
前記信号側伝送線路３１０が前記絶縁体４００の上面に付着されるように信号パターン３００をパターン収容面１１０に付着する信号パターン付着ステップ（Ｓ５０）と、
前記信号側伝送線路３１０を芯線２３０の端部に電気的に連結する芯線連結ステップ（Ｓ６０）と、
を含んでなることを特徴とする、対数周期アンテナ製造方法。
【発明の詳細な説明】
【技術分野】
【０００１】
本発明は、対数周期アンテナ及びその製造方法に関し、より詳しくは、アンテナ素子をアンテナ本体に付着される方式により構成して、アンテナ構造が簡単であるだけでなく、アンテナ形状に制約無しで多様なデザインに製造することができ、アンテナ素子と給電線が連結される接続点を最小化して製造工程が簡単な対数周期アンテナ及びその製造方法に関する。
【背景技術】
【０００２】
一般に、対数周期アンテナは、隣接したアンテナ素子の長さ比率や間隔比率が一定であり、縦型アンテナ列の使用周波数帯域内でほぼ一定の周波数特性を有する広帯域アンテナである。
【０００３】
このような対数周期アンテナは、最近デジタル放送が本格化するにつれて、デジタル放送信号を受信するためのアンテナにたくさん使われている。従来のアンテナは、主に棒形態の素子で構成したが、最近ではＰＣＢ（ｐｒｉｎｔｅｄ ｃｉｒｃｕｉｔ ｂｏａｒｄ）基板にアンテナ素子をプリントしたタイプが主に使われる。
【０００４】
アンテナ素子を棒形態にしたアンテナは、素材が主にアルミニウムやステンレス材質であるので、重さが重く、外部衝撃に弱い短所がある反面、ＰＣＢ基板タイプの対数周期アンテナは、外部衝撃に強く、安定した受信特性を維持し、外にアンテナ素子が露出しないことにより外観が美麗であるという長所があるので、一般家庭の室内及び室外アンテナによく利用される。
【０００５】
しかしながら、前述した従来のＰＣＢ基板タイプの対数周期アンテナは、ＰＣＢ基板の一部を腐食させて、一面には信号パターンを、他の一面には接地パターンを印刷し、信号パターン及び接地パターンが印刷された部分とアンテナ給電線を逐一ハンダ付けして連結した。
【０００６】
このような従来技術として韓国登録実用新案第０３７０９９６号が開示されている。
【０００７】
図１は上記した従来技術を示す底面図であって、上記従来技術によれば、平面アンテナ２０の両側平面にアンテナ素子（Ａｎｔｅｎｎａ Ａｒｒａｙ）２１が対称的に印刷され、上記平面アンテナ２０の中央を横切る給電線２４が固定される。
【０００８】
上記図１を参照すると、上記した従来技術は平面アンテナ２０の両側平面にアンテナ素子２１が印刷されるが、一面には信号パターン、他の一面には接地パターンが印刷され、上記アンテナ素子２１の間を横切る給電線２４０が位置し、上記給電線２４０と上記アンテナ素子２１０が当接する部分を全てハンダ付けする。
【０００９】
前述した従来技術の場合には、アンテナ本体の形状に合うようにＰＣＢ基板を予め製作しなければならず、そのようなＰＣＢ基板も難しいパターン印刷方式により製作されるものであるので、ＰＣＢ基板に印刷されるパターンが決まった状態ではアンテナ本体の形状を変えられない問題点があった。
【００１０】
また、アンテナ素子２１と給電線２４との接点を逐一ハンダ付けするので、製造工程が複雑になる問題点があった。
【発明の概要】
【発明が解決しようとする課題】
【００１１】
本発明の目的は、アンテナ素子をアンテナ本体に付着される方式により構成して、アンテナ構造が簡単であるだけでなく、アンテナ形状に制約のない多様なデザインの対数周期アンテナを提供することにある。
【００１２】
また、本発明の他の目的は、アンテナ素子と給電線が連結される接続点を最小化して、製造工程が簡単な対数周期アンテナの製造方法を提供することにある。
【課題を解決するための手段】
【００１３】
上記の目的を達成するために、本発明は、信号パターン３００及び接地パターン５００を収容するためのパターン収容面１１０を有する対数周期アンテナであって、芯線２３０を絶縁体２２０で覆い、外周面にシールド線２１０で遮蔽した形態に構成され、上記パターン収容面１１０を横切るように固定され、上記パターン収容面１１０を横切る部分のシールド線２１０を露出するようにし、芯線２１０の端部を露出するようにした給電線２００と、複数個の接地側ダイポール素子５２０を台形態の接地側伝送線路５１０に繋がるようにした形態に形成され、上記複数個の接地側ダイポール素子５２０が上記パターン収容面１１０に付着され、上記接地側伝送線路５１０が露出したシールド線２１０の上面に付着されて上記シールド線２１０と電気的に連結される接地パターン５００と、上記接地側伝送線路５１０の上部に付着される台形態の絶縁体４００と、複数個の信号側ダイポール素子３２０を台形態の信号側伝送線路３１０に繋がるようにした形態に形成され、上記複数個の信号側ダイポール素子３２０が上記パターン収容面１１０に付着され、上記信号側伝送線路３１０が上記芯線２３０の端部の露出部に電気的に連結された状態で上記絶縁体４００の上面に付着される信号パターン３００と、を含んでなることを特徴とする。
【００１４】
また、上記芯線２３０の端部は、ハンダ付けにより上記信号側伝送線路３１０に連結されるものであることを特徴とする。
【００１５】
併せて、上記給電線２００は、上記パターン収容面１１０に長凹溝１２０を造成して、上記長凹溝１２０に嵌められるものであることを特徴とする。
【００１６】
一方、上記の目的を達成するために、本発明は、複数個の接地側ダイポール素子５２０を台形態の接地側伝送線路５１０に繋いでいる接地パターン５００と、複数個の信号側ダイポール素子３２０を台形態の信号側伝送線路３１０に繋いでいる信号パターン３００をパターン収容面１１０に付着してなされる対数周期アンテナ製造方法であって、中心導体である芯線２３０と外側導体であるシールド線２１０を同心円に配置した給電線２００において、パターン収容面１１０を横切ることができる長さだけシールド線２１０を露出させ、芯線２３０は端部のみ露出するようにする給電線用意ステップ（Ｓ１０）と、上記給電線２００をパターン収容面１１０を横切るように固定する給電線固定ステップ（Ｓ２０）と、上記接地側伝送線路５１０が上記露出したシールド線２１０の上面に付着されるように接地パターン５００をパターン収容面１１０に付着する接地パターン付着ステップ（Ｓ３０）と、上記接地側伝送線路５１０の上面に絶縁体４００を付着する絶縁体付着ステップ（Ｓ４０）と、上記信号側伝送線路３１０が上記絶縁体４００の上面に付着されるように信号パターン３００をパターン収容面１１０に付着する信号パターン付着ステップ（Ｓ５０）と、上記信号側伝送線路３１０を芯線２３０の端部に電気的に連結する芯線連結ステップ（Ｓ６０）と、を含んでなることを特徴とする。
【発明の効果】
【００１７】
上記特徴を有するように形成される本発明は、アンテナ構造が簡単であるだけでなく、信号パターン３００及び接地パターン５００をパターン収容面１１０に付着する方式により固定され、アンテナ形状を所望の形態に変更しても信号パターン３００及び接地パターン５００を容易に変更して製作できるので、多様なデザインの対数周期アンテナを製造することができるようにする。
【００１８】
また、本発明は、接地パターン５００とシールド線２１０はハンダ付け作業無しで互いに連結されるようにしたし、信号パターン３００と芯線２３０は１回のハンダ付けだけで連結されるようにして、アンテナ素子と給電線が連結される接続点を最小化することによって製造工程が簡素化する長所がある。
【図面の簡単な説明】
【００１９】
【図１】従来技術に係る対数周期アンテナの底面図である。
【図２】本発明の実施形態に係る対数周期アンテナの平面図及び拡大図である。
【図３】本発明の実施形態に係る対数周期アンテナの斜視図及び拡大図である。
【図４】本発明の実施形態に係る対数周期アンテナが組み立てられる過程を示す斜視図である。
【図５】図４のＢ部及びＣ部の拡大図である。
【図６】本発明の実施形態に係る対数周期アンテナの製造方法を示す順序図である。
【発明を実施するための形態】
【００２０】
以下、本発明の好ましい実施形態を添付した図面を参照して当該分野の通常の知識を有する者が容易に実施することができるように説明する。添付の図面での構成に表記された参照番号は他の図面でも同一な構成を表記する時、できる限り同一な図面番号を使用していることに留意しなければならない。また、本発明を説明するに当たって、関連した公知の機能または公知の構成に対する具体的な説明が本発明の要旨を曖昧にすることができると判断される場合には、その詳細な説明を省略する。そして、図面に提示されたある特徴は、説明の容易性のために拡大、縮小、または単純化したものであり、図面及びその構成要素が必ず適切な割合で図示されているものではない。
【００２１】
図１は従来技術に係る対数周期アンテナを示す底面図、図２は本発明の実施形態に係る対数周期アンテナの平面図及び拡大図、図３は本発明の実施形態に係る対数周期アンテナの斜視図及び拡大図、図４は本発明の実施形態に係る対数周期アンテナが組み立てられる過程を示す斜視図、図５は図４のＢ部及びＣ部の拡大図である。
【００２２】
上記図２乃至図５を参照すると、本発明の実施形態に係る対数周期アンテナは、パターン収容面１１０を有するアンテナ本体１００と、信号伝送のための給電線２００と、上記給電線２００と連結される信号パターン３００及び接地パターン５００と、上記信号パターン３００と上記接地パターン５００に電気的に連結される給電線２００に備えられる絶縁体４００から構成される。
【００２３】
併せて、本発明に係る対数周期アンテナは、上記パターン収容面１１０の中心には長凹溝１２０が形成され、上記パターン収容面１１０にはパターン収容溝１１５が形成される。
【００２４】
上記パターン収容面１１０はアンテナ本体１００に形成される平坦な面であって、後述する給電線２００が固定され、後述する信号パターン３００及び接地パターン５００を収容する役割をする。この際、上記アンテナ本体１００は上記パターン収容面１１０だけ平坦に形成されれば、多様な形状に製造できる。
【００２５】
また、上記パターン収容面１１０を横切る中央には長凹溝１２０が造成される。上記長凹溝１２０は後述する給電線２００と絶縁体４００を収容する役割をするものであって、下部は上記給電線２００と合う形状に形成されており、上部は上記絶縁体４００と合う形状に形成されている。
【００２６】
この際、上記長凹溝１２０の幅と深さは上記給電線２００の直径と上記絶縁体４００の厚さと幅によって変わる。
【００２７】
また、上記パターン収容面１１０の表面にはパターン収容溝１１５が上記信号パターン３００と上記接地パターン５００に合う形状に凹んでいる。この際、上記パターン収容溝１１５の凹まれる深さは上記信号パターン３００と接地パターン５００及び絶縁体４００が重なる厚さだけ形成することが好ましい。
【００２８】
これで、パターン収容溝１１５に上記信号パターン３００と接地パターン５００及び絶縁体４００を付着しても、上記パターン収容面１１０は平坦な面を維持できるようになる。したがって、アンテナ本体１００の外観を美麗に維持することができる。
【００２９】
上記給電線２００は、通常的にアンテナ信号伝送に使われる同軸ケーブルであって、本発明の実施形態ではＦＢＴ−５ＣまたはＨＦＢＴ−５Ｃ規格のケーブルが使われたが、ケーブルの規格に制限されるものではなく、アンテナ信号伝送に使われる多様な同軸ケーブルが適用できる。
【００３０】
一般的な同軸ケーブルの場合、外側にはシールド線２１０、内側には芯線２３０、上記シールド線２１０と上記芯線２３０との間に介される絶縁体２２０が形成されているが、本発明の場合、上記シールド線２１０は後述する接地パターン５００と連結されて接地信号を伝送してくれて、上記芯線２３０は後述する信号パターン３００と連結されてアンテナ信号を伝送してくれる。
【００３１】
上記給電線２００の一側は後述する信号パターン３００と接地パターン５００に連結され、他側はアンテナ信号の入力を受ける機器の端子と連結されるものであって、上記信号パターン３００と上記接地パターン５００で感知される信号を伝送してくれる。
【００３２】
上記給電線２００は前述したパターン収容面１１０を横切って、中央に位置する。即ち、上記パターン収容面１１０広さの中心に位置し、上記パターン収容面１１０の長さ方向全体に亘って前述した長凹溝１２０に挿入されて固定される。
【００３３】
この際、上記給電線２００は外部被覆が剥けて上記シールド線２１０が露出した状態で固定されるが、アンテナ本体１００を横切る長さだけ外部被覆が剥ける。また、上記給電線２００の端部は上記シールド線２１０と絶縁体２００を切断し、芯線２１０のみ露出するようにする。
【００３４】
上記接地パターン５００は複数個の接地側ダイポール素子５２０を台形態の接地側伝送線路５１０に繋がるようにした形態である。即ち、上記接地側ダイポール素子５２０は、上記接地側伝送線路５１０を中心に一定間隔を置いて長さを異にして延びて、かつ長さが一定に増加または減少するダイポール配列の形状からなる。
【００３５】
また、上記複数個の接地側ダイポール素子５２０は上記パターン収容面１１０に形成された上記パターン収容溝１１５に付着され、上記接地側伝送線路５１０は上記給電線２００の露出したシールド線２１０の上面に付着される。したがって、上記シールド線２１０と上記接地側伝送線路５１０は電気的に連結される。
【００３６】
上記絶縁体４００は台形態であって、上記接地側伝送線路５１０の上部に付着される。即ち、上記絶縁体４００は上記接地側伝送線路５１０と後述する信号パターン３００の信号側伝送線路３１０との間に位置して、上記接地パターン５００と後述する信号パターン３００とが互いに電気的に連結されないようにする。
【００３７】
この際、上記絶縁体４００の形状は上記接地側伝送線路５１０の形状に合うように形成されるが、広さと長さを上記接地側伝送線路５１０より大きくすることが良い。これは、後述する信号パターン３００と電気的に連結されることは完壁に遮蔽するためである。
【００３８】
また、上記絶縁体４００はパターン収容面１１０に形成された長凹溝１２０に挿入される。上記絶縁体４００は、上記信号パターン３００と上記接地パターン５００とが重なった時、厚さがあまり厚くならないように薄い厚さで形成することが良い。
【００３９】
上記信号パターン３００は、複数個の信号側ダイポール素子５２０を台形態の信号側伝送線路３１０に繋がるようにした形態である。即ち、上記信号側ダイポール素子３２０は、上記信号側伝送線路３１０を中心として一定間隔を置いて長さを異にして延びて、かつ長さが一定に増加または減少するダイポール配列の形状からなる。
【００４０】
また、上記複数個の信号側ダイポール素子３２０は上記パターン収容面１１０に形成された上記パターン収容溝１１５に付着され、上記信号側伝送線路３１０は上記絶縁体４００の上面に付着される。
【００４１】
この際、上記信号側伝送線路３１０は、上記給電線２００の端部に露出した芯線２３０と電気的に連結される。即ち、上記給電線２００の端部に露出した芯線２３０を上記信号側伝送線路３１０の方向に曲げて互いに密着させて電気的に連結させるものである。
【００４２】
ここで、上記信号側伝送線路３１０と上記芯線２３０とはハンダ付けにより連結することが好ましい。
【００４３】
前述した上記接地パターン５００及び上記信号パターン３００は、上記給電線２００を中心として、左右側に互いに交互に位置する。即ち、上記信号パターン３００が上記給電線２００を中心として左側に位置すれば、上記接地パターン５００は右側に位置する。
【００４４】
また、前述した上記信号パターン３００と上記接地パターン５００の素子長さの長い側の信号側ダイポール素子３２０と接地側ダイポール素子５２０は、低い周波数帯域（例えば、４５０ＭＨｚ帯域）をカバーし、素子長さの短い側の信号側ダイポール素子３２０と接地側ダイポール素子５２０は、高い周波数帯域（例えば、８７０ＭＨｚ帯域）をカバーする。
【００４５】
これで、従来技術とは異なり、アンテナの構造が簡単であるだけでなく、上記信号パターン３００及び上記接地パターン５００を上記パターン収容面１１０に付着する方式を採用し、そのような信号パターン３００及び接地パターン５００の製作も容易であるので、上記アンテナ本体１００の形状に制約無しで多様なデザインの対数周期アンテナを製造することができる。
【００４６】
以下、本発明に係る対数周期アンテナの製造方法を詳細に説明すれば、次の通りである。
【００４７】
図６は、本発明の実施形態に係る対数周期アンテナの製造方法を示す順序図である。
【００４８】
１．第１ステップ：給電線用意ステップ（Ｓ１０）
同軸ケーブルをＦＢＴ−５ＣまたはＨＦＢＴ−５Ｃ規格に用意して給電線２００に使用する。ここで、上記給電線２００は外側にはシールド線２１０、内側には芯線２３０、上記シールド線２１０と上記芯線２３０との間には絶縁体２２０が形成されている同軸ケーブルである。
【００４９】
上記給電線２００の外部被覆を、パターン収容面１１０を横切ることができる長さだけ剥いてシールド線２１０を露出させ、端部は内部のシールド線２１０及び絶縁体２２０を切断して芯線２３０のみ露出するようにして用意する。ここで、芯線２３０が露出する部分は絶縁体２２０を一部残して芯線２３０が、シールド線２１０に触れないようにすることが好ましい。即ち、先に、シールド線２１０を切断した後、絶縁体２２０を脱皮して切断する時にシールド線２１０よりは短い長さだけ絶縁体２２０を切断する。
【００５０】
２．第２ステップ：給電線固定ステップ（Ｓ２０）
第１ステップの給電線２００を、上記パターン収容面１１０を横切るように固定する。この際、上記パターン収容面１１０の中央に形成された長凹溝１２０に上記給電線２００を挿入する。即ち、上記長凹溝１２０に上記給電線２００を挿入した状態で固定させる。
【００５１】
３．第３ステップ：接地パターン付着ステップ（Ｓ３０）
第３ステップで接地パターン５００をパターン収容面１１０に付着するが、上記接地パターン５００は複数個の接地側ダイポール素子５２０が台形態の接地側伝送線路５１０に繋がっている形状である。
【００５２】
第２ステップの上記給電線２００を中心として、上記露出したシールド線２１０の上部に上記接地側伝送線路５１０を密着して、上記シールド線２１０と上記接地側伝送線路５１０が電気的に連結される。
【００５３】
それと同時に、上記複数個の接地側ダイポール素子５２０は上記パターン収容溝１１５に挿入して付着させる。この際、上記複数個の接地側ダイポール素子５２０の下部には接着剤が塗布されており、その接着剤の上には保護フィルム（図示せず）が貼り付けられている。上記保護フィルムを除去した後、上記パターン収容溝１１５に上記複数個の接地側ダイポール素子５２０を付着すれば、接着剤の接着力によって上記複数個の接地側ダイポール素子５２０が上記パターン収容溝１１５に付着される。
【００５４】
また、上記複数個の接地側ダイポール素子５２０を付着する時、上記パターン収容溝１１５に接着剤を予め塗布した後、複数個の接地側ダイポール素子５２０を付着することもできる。これは、当業者が選択的に適用することができる。
【００５５】
ここで、上記給電線２００は外側にシールド線２１０が露出している状態であるので、上記接地側伝送線路５１０を上記シールド線２１０に密着するだけでも互いに電気的に連結される。
【００５６】
それによって、上記接地側伝送線路５１０の下部は接着剤を塗布しないことが好ましい。但し、伝導性接着剤は使用できる。
【００５７】
４．第４ステップ：絶縁体付着ステップ（Ｓ４０）
第４ステップで上記接地側伝送線路５１０の上部に絶縁体４００を付着させる。この際、上記絶縁体４００は台形態であって、上記接地側伝送線路５１０のみに付着され、上記複数個の接地側ダイポール素子５２０には付着されない。
【００５８】
また、上記絶縁体４００の付着方式は、前述した上記複数個の接地側ダイポール素子５２０と同一な方法を使用する。
【００５９】
５．第５ステップ：信号パターン付着ステップ（Ｓ５０）
第５ステップで信号パターン３００をパターン収容面１１０に付着するが、上記信号パターン３００は複数個の信号側ダイポール素子３２０が台形態の信号側伝送線路３１０に繋がっている形状である。
【００６０】
第４ステップの上記絶縁体４００を中心として、上記絶縁体４００と上記信号側伝送線路３１０を付着する。それと同時に、上記複数個の信号側ダイポール素子３２０をパターン収容面１１０に形成されたパターン収容溝１１５に挿入して付着する。
【００６１】
この際、上記信号パターン３００と上記接地パターン５００は、信号側伝送線路３１０と接地側伝送線路５１０のみ重なり、複数個の信号側ダイポール素子３２０と複数個の接地側ダイポール素子５２０は互いにジグザグ形態に交互になる。即ち、上記信号側伝送線路３１０と上記接地側伝送線路５１０との間に絶縁体４００が位置し、上記複数個の信号側ダイポール素子３２０と上記複数個の接地側ダイポール素子５２０とは互いに重なる部分がないので、互いに電気的に連結できなくなる。
【００６２】
また、上記信号パターン３００の付着方式は、前述した上記複数個の接地側ダイポール素子５２０と同一な方法を使用する。
【００６３】
６．第６ステップ：芯線連結ステップ（Ｓ６０）
第６ステップで上記信号側伝送線路３１０を第１ステップの上記芯線２３０とハンダ付けする。上記芯線２３０を上記信号側伝送線路３１０の方向に曲げて上記信号側伝送線路３１０に密着させる。そして、上記信号側伝送線路３１０と上記芯線２３０とが接触した部分を１回ハンダ付けして電気的に連結させる。
【００６４】
したがって、本発明の対数周期アンテナは従来技術とは異なり、アンテナ素子と給電線とが連結される接続点を最小化することで、製造工程が簡素化するものである。
【００６５】
また、このように製造された対数周期アンテナの表面にカバー（図示せず）をかぶせたり、多様な色の塗料を塗ることで、室内または室外アンテナなど、多様な用途に製造できることは勿論である。
【００６６】
併せて、一般的な対数周期アンテナ設計理論において、アンテナ素子の長さと個数を決定するためのデザイン定数（ｄｅｓｉｇｎ ｃｏｎｓｔａｎｔ、τ）とアンテナ素子の間の間隔及びブーム（ｂｏｏｍ）長さを決定するための相対離隔値（ｒｅｌａｔｉｖｅ ｓｐａｃｉｎｇ、σ）が用いられる。デザイン定数（τ）と相対離隔値（σ）を算出するための公式やこれを用いたアンテナ素子配列方法は、当業者に一般的な事項であるので、これに対する詳細な説明は省略する。
【００６７】
以上、本発明の技術的事象を例示するために、具体的な実施形態として図示及び説明したが、本発明は上記の通りに具体的な実施形態と同一な構成及び作用のみに限定されず、多様な変形が本発明の範囲を逸脱しない限度内で実施できる。したがって、そのような変形も本発明の範囲に属するものと見なすべきであり、本発明の範囲は後述する特許請求範囲により決定されなければならない。
【符号の説明】
【００６８】
１００ アンテナ本体
１１０ パターン収容面
１１５ パターン収容溝
１２０ 長凹溝
２００ 給電線
２１０ シールド線
２２０ 絶縁体
２３０ 芯線
３００ 信号パターン
３１０ 信号側伝送線路
３２０ 信号側ダイポール素子
４００ 絶縁体
５００ 接地パターン
５１０ 接地側伝送線路
５２０ 接地側ダイポール素子
【図１】
0005347209.tif 000002
【図２】
0005347209.tif 000003
【図３】
0005347209.tif 000004
【図４】
0005347209.tif 000005
【図５】
0005347209.tif 000006
【図６】
0005347209.tif 000007